(57)【要約】【課題】  専用のハードウェアを必要とせず、デザイン性を損なうこともなく、画像に関連する音を再生することが可能なインテリアなどに用いることができる画像媒体、画像媒体を用いた音再生システム及び音再生方法を提供する。【解決手段】  画像とその画像に関連する音の波形データから生成された画像が表示された画像媒体に、音を再生するための音源データを識別する識別コードを波形の画像が表示された領域に配置する。不可視な識別コードを用いる、波形上に識別用のマーカを配置する、あるいは波形の画像そのものを識別コードとして用いれば、ユーザは音の波形を目印にスマートフォンのカメラ等をかざすことで識別コードを読み取ることができるので、画像媒体全体のデザイン性を損なうことなく、画像に関連する音を再生することが可能になる。【選択図】        図２
2016177709.tif 000002
【特許請求の範囲】
【請求項１】
第一の画像と、
前記第一の画像に関連する音の波形データから生成された第二の画像を含み、
前記音を再生するための音源データを識別する識別コードが、前記第二の画像が表示された領域に配置されていること
を特徴とする画像媒体。
【請求項２】
前記識別コードは不可視な識別コードであって、前記第二の画像が表示された領域に埋め込まれていること
を特徴とする請求項１記載の画像媒体。
【請求項３】
前記識別コードは、前記第二の画像が表示された領域に配置されたマーカによって識別されるものであること
を特徴とする請求項１記載の画像媒体。
【請求項４】
前記第二の画像が、前記識別コードとして用いられること
特徴とする請求項１記載の画像媒体。
【請求項５】
第一の画像と、前記第一の画像に関連する音の波形データから生成された第二の画像を含み、
前記音を再生するための音源データを識別する識別コードが、前記第二の画像が表示された領域に配置されていることを特徴とする画像媒体と、
前記画像媒体に含まれる識別コードから読み取られた識別情報に対応する音源データを音源データの格納装置から読み出して、前記音を再生する音再生装置と、
からなることを特徴とする音再生システム。
【請求項６】
第一の画像と、前記第一の画像に関連する音の波形データから生成された第二の画像を含み、
前記音を再生するための音源データを識別する識別コードが、前記第二の画像が表示された領域に配置されていることを特徴とする画像媒体から、
音再生装置が、前記画像媒体に含まれる識別コードから読み取られた識別情報に対応する音源データを音源データの格納装置から読み出して、前記音を再生すること
を特徴とする音再生方法。
【発明の詳細な説明】
【技術分野】
【０００１】
本発明は、インテリアなどに用いることができる画像媒体、画像媒体を用いた音再生システム及び音再生方法に関するものである。
【背景技術】
【０００２】
赤ちゃんの産声や心音、ペットの鳴き声などの音のデータを波形に変換して、音の記憶をインテリアとしてデザインするサービスが提供されている（非特許文献１参照）。このサービスでは、音の波形のデザインと、その音を発した赤ちゃんやペットなどの写真を組み合わせることも可能となっている。
【０００３】
赤ちゃんの産声や心音の波形と赤ちゃんの写真、あるいは、ペットの鳴き声の波形とペットの写真を組み合わせれば、あたかもそこから音が発せられるかのような記憶が呼び起こされる効果を期待することができるが、さらに実際にその音を聴くことができるように、写真等の上に音源データを識別するための二次元バーコードを配置し、スマートフォン等でこれを読み取ることによって、ストリーミングで音を再生することが可能なオプションも用意されている（非特許文献２参照）。
【０００４】
こうしたサービスの他に、写真等の画像媒体に音を関連付けて再生する技術として、例えば、本や写真アルバム等の任意の位置に対応して、メッセージの記録や再生を行うことができるメッセージ記録及び再生装置に関する発明が開示されている（特許文献１参照）。
【先行技術文献】
【特許文献】
【０００５】
【特許文献１】特開２００９−１４３２３２号公報
【非特許文献】
【０００６】
【非特許文献１】「音を飾る。」の商品紹介、Ｒ−Ｐａｒｋｅｒ．ホームページ、［２０１５年３月１６日検索］、インターネット＜http://www.r-parker.jp/＞
【非特許文献２】「音を飾る。」で選択可能なオプション、Ｒ−Ｐａｒｋｅｒ．ホームページ、［２０１５年３月１６日検索]、インターネット＜http://www.r-parker.jp/?page_id=6#link04＞
【発明の概要】
【発明が解決しようとする課題】
【０００７】
非特許文献２に開示された二次元バーコードを用いたオプションを選択すると、写真や波形に対応する音そのものを聴くことも可能になり、顧客の多様なニーズに応えることができる一方で、画像媒体上における二次元バーコードの存在が、トータルなデザイン性を損なってしまうおそれが生じることが課題となる。
【０００８】
特許文献１に開示された発明は、ページ内の位置情報と関連付けてメッセージ等を記憶させるため、二次元バーコード等の識別コードを必要とするものではないが、メッセージの記憶や再生には位置情報を認識してデータの書込みや読出しを行う専用のハードウェアを必要とするため、実用性の観点から家庭用のインテリアに採用し得るものではない。
【０００９】
本発明は、このような課題に対応するためになされたものであり、専用のハードウェアを必要とせず、かつ、デザイン性を損なうことなく、画像に関連する音を再生することが可能な、インテリアなどに用いることができる画像媒体、画像媒体を用いた音再生システム及び音再生方法を提供することを目的とするものである。
【課題を解決するための手段】
【００１０】
このような課題を解決する本発明は、第一の画像と、前記第一の画像に関連する音の波形データから生成された第二の画像を含み、前記音を再生するための音源データを識別する識別コードが、前記第二の画像が表示された領域に配置されていることを特徴とする画像媒体である。
【００１１】
また、本発明は、前記識別コードは不可視な識別コードであって、前記第二の画像が表示された領域に埋め込まれていることを特徴とすることもできる。
【００１２】
また、本発明は、前記識別コードは、前記第二の画像が表示された領域に配置されたマーカによって識別されるものであることを特徴とすることもできる。
【００１３】
また、本発明は、前記第二の画像が、前記識別コードとして用いられることを特徴とすることもできる。
【００１４】
本発明では、画像（第一の画像）とその画像に関連する音の波形データから生成された画像（第二の画像）が表示された画像媒体に、音を再生するための音源データを識別する識別コードを配置するが、その位置を波形の画像（第二の画像）が表示された領域とすることを特徴としている。
【００１５】
これによって、ユーザは音の波形を目印にスマートフォンのカメラ等をかざすことで識別コードを読み取って、音源データを特定して音を再生することが可能になるが、不可視な識別コードを用いる、波形上に識別用のマーカを配置する、あるいは波形の画像そのものを識別コードとして用いることとすれば、画像媒体全体のデザイン性を損なうことなく、画像に関連する音を再生することができる。
【００１６】
本発明は、本発明にかかる画像媒体を用いた音再生システムとして特定することもできる。
【００１７】
本発明に係る音再生システムは、第一の画像と、前記第一の画像に関連する音の波形データから生成された第二の画像を含み、前記音を再生するための音源データを識別する識別コードが、前記第二の画像が表示された領域に配置されていることを特徴とする画像媒体と、前記画像媒体に含まれる識別コードから読み取られた識別情報に対応する音源データを音源データの格納装置から読み出して、前記音を再生する音再生装置と、からなることを特徴とする音再生システムである。
【００１８】
また、本発明に係る音再生システムは、先に説明した本発明に係る画像媒体の各々の構成に対応する音再生システムとして特定することもできる。
【００１９】
本発明は、本発明にかかる画像媒体を用いた音再生方法として特定することもできる。
【００２０】
本発明に係る音再生方法は、第一の画像と、前記第一の画像に関連する音の波形データから生成された第二の画像を含み、前記音を再生するための音源データを識別する識別コードが、前記第二の画像が表示された領域に配置されていることを特徴とする画像媒体から、音再生装置が、前記画像媒体に含まれる識別コードから読み取られた識別情報に対応する音源データを音源データの格納装置から読み出して、前記音を再生することを特徴とする音再生方法である。
【００２１】
また、本発明に係る音再生方法は、先に説明した本発明に係る画像媒体の各々の構成によって実行される音再生方法として特定することもできる。
【発明の効果】
【００２２】
本発明によると、専用のハードウェアを必要とせず、デザイン性を損なうこともなく、画像に関連する音を再生することが可能な、インテリアなどに用いることができる画像媒体を提供することが可能になる。本発明は、産声や心音の波形と赤ちゃんの写真、鳴き声の波形とペットの写真、波の音などの自然音の波形と海などの風景写真などを用いたインテリアに、特に好適となる。
【図面の簡単な説明】
【００２３】
【図１】本発明に係る音再生システムの構成を示すブロック図である。
【図２】本発明に係る画像媒体の第１の実施形態を示す第１の図である。
【図３】本発明に係る画像媒体の第１の実施形態を示す第２の図である。
【図４】本発明に係る画像媒体の第１の実施形態を示す第３の図である。
【図５】本発明に係る画像媒体の第２の実施形態を示す図である。
【図６】本発明に係る画像媒体の第３の実施形態を示す図である。
【図７】本発明の第１の実施形態における音再生の処理フローを示す図である。
【図８】本発明の第２の実施形態における音再生の処理フローを示す図である。
【図９】本発明の第３の実施形態における音再生の処理フローを示す図である。
【発明を実施するための形態】
【００２４】
本発明を実施するための形態について、図面を用いて以下に詳細に説明する。尚、以下の説明は本発明の実施形態の一例を示したものであって、本発明の実施形態は、以下に示した例に限定されるものではない。
【００２５】
図１は、本発明に係る音再生システムの構成の一例を示したものである。図１の表示パネル１０が、本発明に係る画像媒体に対応する。表示パネル１０は、インテリアに用いられるフォトフレームなどの画像媒体であって、画像が表示される面には、対象表示領域１１と波形表示領域１２が設けられている。
【００２６】
対象表示領域１１には、本発明に係る画像媒体から再生される音に関連する対象の画像、例えば、赤ちゃんの産声や心音が再生されるならば赤ちゃんの写真や似顔絵、ペットの鳴き声が再生されるならばペットの写真やイラスト、波の音などの自然音が再生されるならば海などの風景写真や風景画などが表示されている。
【００２７】
波形表示領域１２には、対象表示領域１１に表示された画像に関連する音の波形データから生成された波形の画像が表示されるが、さらに波形表示領域１２には、全体のデザインに影響を与えないように肉眼では識別しにくい状態（肉眼では見えない状態、又は、肉眼では識別コードであることがわからない状態）で、識別コード１３が埋め込まれている。識別コードをどのように埋め込むかという方法については、後に３つの実施形態に分けて説明する。
【００２８】
表示パネル１０を見たユーザが、そこに表示されている画像に関連する音であって、波形として表示されている音を聴きたい場合には、スマートフォン等の携帯端末２０で不可視な二次元コードの読取りや画像の認識が可能なアプリケーションプログラムを立ち上げて、携帯端末２０のカメラを波形表示領域１２にかざして、識別コード１３を読み取る。識別コード１３自体は肉眼では識別しにくい状態となっているが、ユーザは波形表示領域１２を目標に定めることによって、自然に識別コード１３を読み取ることができる。読み取った識別コード１３から特定される識別情報が、インターネット等のネットワークを介して携帯端末２０から音源サーバ３０に送信される。
【００２９】
尚、携帯端末２０の構成は特に限定されるものではないが、識別コード１３を読み取るためのカメラとアプリケーションプログラム、音源サーバ３０とインターネット等のネットワークを介して通信するための通信機能を備えたネットワーク端末であることが必要である。
【００３０】
また、音源サーバ３０にはインターネット等のネットワークに接続されたサーバコンピュータが用いられるが、その物理的な構成は特に限定されるものではない。音源特定部３１は機能的に特定されるものであって、この機能に対応するアプリケーションプログラムが音源サーバ３０を構成するコンピュータのメインメモリ等の記憶装置に読み出され、ＣＰＵで演算処理を実行することによって、その機能が実現される。音源データ格納部３２には、コンピュータの補助記憶装置の所定の記憶領域が割り当てられる。
【００３１】
音源サーバ３０では音源特定部３１が起動され、受信した識別情報をキーに音源データ格納部３２を検索して、識別情報に対応する音源データを読み出す。この音源データを携帯端末２０に返信し、携帯端末２０で音源データを再生することによって、対象表示領域１１に表示された画像に関連する音、すなわち、波形表示領域１２に表示された波形の画像に対応する音が、携帯端末２０のスピーカから出力される。
【００３２】
続いて、全体のデザインに影響を与えないように、肉眼では識別しにくい状態で波形表示領域１２に識別コード１３を埋め込む方法の３つの実施形態について説明する。図２−４と図７を用いて第１の実施形態について、図５と図８を用いて第２の実施形態について、図６と図９を用いて第３の実施形態について、以下にそれぞれ説明する。
【００３３】
第１の実施形態では、図２−４の例に示したように、波形表示領域１２（波形表示領域１２１−１２３）に不可視な二次元コード等の識別コードを埋め込む。図２−４では、識別コード１３（識別コード１３１−１３３）をグレーの四角で示しているが、実際はこの部分が肉眼では見えない二次元コードやバーコード等の識別コードとなる。不可視な二次元コードやバーコードについては様々な技術が提供されているので、それらの公知技術を利用することとすればよい。
【００３４】
図２では、波形表示領域１２に１つの識別コード１３が埋め込まれている。識別コード１３自体は肉眼では識別できないなので、音を再生したいユーザは識別コード１３読み取るためにどこにカメラをかざせばよいかわからない状態にあるが、このように構成すれば、波形の画像近辺にカメラをかざすことによって、自然に識別コード１３を読み取ることが可能になる。
【００３５】
図３では、表示パネル１０には複数の波形の画像が波形表示領域１２１−１２３に表示され、それぞれの領域に識別コード１３１−１３３が埋め込まれている。このように構成すると、カメラをかざす波形の画像に応じて、例えば、ペットの普段の鳴き声、喜んだときの鳴き声、吠えるときの鳴き声など、一の画像媒体で複数の異なる音を再生することが可能になる。
【００３６】
図４では、表示パネル１０に表示されている波形の画像は１つであるが、波形表示領域１２には、複数の識別コード１３１−１３３が埋め込まれている。このように構成すると、カメラをかざす波形の画像上の位置に応じて、全体の音をいくつかの部分に区切って、その一部を再生することが可能になる。
【００３７】
図７は、第１の実施形態における音再生の処理フローを示している。ユーザが携帯端末２０のカメラで波形表示領域１２を撮影すると、携帯端末２０のアプリケーションプログラムで不可視な識別コード１３を読み取り（Ｓ０１）、問題なく読み取ることができれば（Ｓ０２）、識別コード１３から特定される識別情報を音源サーバ３０に送信する（Ｓ０４）。読み取りができない場合はエラー処理となって（Ｓ０２、Ｓ０３）、「もう一度撮影してください」などのメッセージが携帯端末２０から出力される。
【００３８】
識別情報を受信した音源サーバ３０では、音源特定部３１に対応するアプリケーションプログラムが起動され、受信した識別情報をキーに音源データ格納部３２を検索して（Ｓ０５）、該当する音源データが存在すれば（Ｓ０６）、音源データを読み出して、携帯端末２０に送信する（Ｓ０９）。音源データは携帯端末２０で再生、スピーカに出力されて（Ｓ１０）、ユーザは画像に関連する音を聞くことができる。音源データが存在しない場合はエラー処理となって（Ｓ０７、Ｓ０８）、「再生できません」などのメッセージが携帯端末２０から出力される。
【００３９】
第２の実施形態では、図５の例に示したように、波形表示領域１２に表示された波形の画像上に、識別コードとして用いることが可能なマーカが、波形のデザインに影響を与えにくい形で表示されている。図５では、波形の上端や下端、右端や左端に黒丸のマーカが配置されているが、これらの位置関係から識別情報を特定する。マーカのサイズを小さくする、あるいはマーカをデザインと一体化させることによって、波形の画像のデザインに与える影響を抑えることが可能である。
【００４０】
図８は、第２の実施形態における音再生の処理フローを示している。ユーザが携帯端末２０のカメラで波形表示領域１２を撮影すると、携帯端末２０のアプリケーションプログラムで識別コード１３として機能するマーカの配置を読み取り（Ｓ１１）、マーカの配置から識別情報を特定できれば（Ｓ１２）、特定した識別情報を音源サーバ３０に送信する（Ｓ１４）。識別情報が特定できない場合はエラー処理となって（Ｓ１２、Ｓ１３）、「もう一度撮影してください」などのメッセージが携帯端末２０から出力される。
【００４１】
識別情報を受信した音源サーバ３０では、音源特定部３１に対応するアプリケーションプログラムが起動され、受信した識別情報をキーに音源データ格納部３２を検索して（Ｓ１５）、該当する音源データが存在すれば（Ｓ１６）、音源データを読み出して、携帯端末２０に送信する（Ｓ１９）。音源データは携帯端末２０で再生、スピーカに出力されて（Ｓ２０）、ユーザは画像に関連する音を聞くことができる。音源データが存在しない場合はエラー処理となって（Ｓ１７、Ｓ１８）、「再生できません」などのメッセージが携帯端末２０から出力される。
【００４２】
第３の実施形態では、図６の例に示したように、波形表示領域１２に表示された波形の画像自体が、識別コードとして用いられる。一般的な画像認識のアプリケーションプログラムによって波形の画像が認識され、あらかじめ登録された画像と一致すれば、その画像と関連付けて保存されている音源データが再生される。
【００４３】
図９は、第３の実施形態における音再生の処理フローを示している。ユーザが携帯端末２０のカメラで波形表示領域１２を撮影すると、携帯端末２０の画像認識のアプリケーションプログラムで識別コード１３として機能する波形の画像を読み取り（Ｓ２１）、所定の条件に合致するレベルで画像を読み取ったと判断できれば（Ｓ２２）、読み取った画像データを識別情報として音源サーバ３０に送信する（Ｓ２４）。画像が十分に読み取れない場合はエラー処理となって（Ｓ２２、Ｓ２３）、「もう一度撮影してください」などのメッセージが携帯端末２０から出力される。
【００４４】
識別情報となる画像データを受信した音源サーバ３０では、音源特定部３１に対応するアプリケーションプログラムが起動され、受信した識別情報となる画像データと一致又は類似する画像データと関連付けられた音源データを音源データ格納部３２で検索して（Ｓ２５）、該当する音源データが存在すれば（Ｓ２６）、音源データを読み出して、携帯端末２０に送信する（Ｓ２９）。音源データは携帯端末２０で再生、スピーカに出力されて（Ｓ３０）、ユーザは画像に関連する音を聞くことができる。音源データが存在しない場合はエラー処理となって（Ｓ２７、Ｓ２８）、「再生できません」などのメッセージが携帯端末２０から出力される。
【符号の説明】
【００４５】
１０  表示パネル
１１  対象表示領域
１２  波形表示領域
１２１−１２３  波形表示領域
１３  識別コード
１３１−１３３  識別コード
２０  携帯端末
３０  音源サーバ
３１  音源特定部
３２  音源データ格納部
【図１】
2016177709.tif 000003
【図２】
2016177709.tif 000004
【図３】
2016177709.tif 000005
【図４】
2016177709.tif 000006
【図５】
2016177709.tif 000007
【図６】
2016177709.tif 000008
【図７】
2016177709.tif 000009
【図８】
2016177709.tif 000010
【図９】
2016177709.tif 000011